(57)【特許請求の範囲】
【請求項１】
下向きに開口した多数の製氷室を有する冷却器と、水平閉塞位置において前記冷却器を下方から閉塞するよう傾復動可能に配設され、前記各製氷室に対向する位置に噴水孔を備えた水皿と、該水皿と一体的に設けられ、当該水皿上面からの水を受けて貯留する水タンクと、該水タンク内の水を吸い上げて前記噴水孔から噴出させる循環ポンプと、前記水皿の上面に散水する散水器とを備えた逆セル型製氷機であって、
前記水タンクは、前記水皿が前記冷却器の製氷室を開放する傾斜開放位置において、内部に水が残留する構造を呈すると共に、該水タンク内の水を排出するための排水弁を備えたことを特徴とする逆セル型製氷機。
【請求項２】
製氷行程を所定回数実行した場合、前記排水弁を開放することを特徴とする請求項１に記載の逆セル型製氷機。
【請求項３】
前記水タンク内に水質センサを設け、該水質センサが検出する前記水タンク内の水の不純物濃度が所定の上限値に達した場合、前記排水弁を開放することを特徴とする請求項１に記載の逆セル型製氷機。
【請求項４】
下向きに開口した多数の製氷室を有する冷却器と、水平閉塞位置において前記冷却器を下方から閉塞するよう傾復動可能に配設され、前記各製氷室に対向する位置に噴水孔を備えた水皿と、該水皿と一体的に設けられ、当該水皿上面からの水を受けて貯留する水タンクと、該水タンク内の水を吸い上げて前記噴水孔から噴出させる循環ポンプと、前記水皿の上面に散水する散水器とを備えた逆セル型製氷機であって、
前記水皿が前記冷却器の製氷室を開放する傾斜開放位置において、前記水タンクから排出される水を受ける排水受け部を備え、該排水受け部にて受けた水を前記散水器に供給するよう構成したことを特徴とする逆セル型製氷機。
【発明の詳細な説明】
【技術分野】
【０００１】
本発明は、下向きに開口した複数の製氷室を有する冷却器と、冷却器を下方から閉塞するよう傾復動可能に配設され、各製氷室に対向する位置に噴水孔を備えた水皿を備え、噴水孔から各製氷室内に噴水して製氷を行う所謂逆セル型製氷機に関するものである。
【背景技術】
【０００２】
従来、この種製氷機、特に、逆セル型製氷機は、下向きに開口した多数の製氷室を有する冷却器と、水平閉塞位置において冷却器を下方から閉塞するよう傾復動可能に配設され、各製氷室に対向する位置に噴水孔を備えた水皿と、この水皿と一体的に設けられ、当該水皿上面からの水を受けて貯留する水タンクと、この水タンク内の水を吸い上げて噴水孔から噴出させる循環ポンプと、水皿の表面に散水する散水器等にて構成される。
【０００３】
そして、当該逆セル型製氷機は、製氷行程と離氷行程を交互に繰り返して製氷を行うものであった。
【０００４】
即ち、製氷行程では、先ず、散水器から水タンク内に給水が行われ、この水タンク内の水が満水になると、循環ポンプが駆動され、当該循環ポンプにより噴水孔から当該水タンク内の水が各製氷室内に噴出される。同時に、冷却装置が駆動され、冷却器内にて冷媒を蒸発させる。当該冷媒の吸熱による冷却作用により各製氷室が冷却される。これにより、各製氷室内に氷が生成されていく。このとき、噴水孔から噴出した水のうち、氷に成らず余った水は水タンク内に回収される。
【０００５】
上述した製氷行程により製氷室内に氷が生成されると、離氷行程に移行する。当該製氷行程では、水平閉塞位置にて製氷室を閉塞していた水皿が下方向に傾動される。このとき、水タンク内に残った水は排水口からドレンパン上に流される。また、散水器から水皿上に散水されて、水皿の表面に付着している氷が洗い流される。当該洗浄水も水タンクに流れ落ちた後、排水口からドレンパン上に流される。尚、下方向に傾動した水皿は傾斜開放位置にて停止される。
【０００６】
一方、離氷行程に移行すると、冷却装置の圧縮機からホットガス（高温高圧の冷媒ガス）が直接冷却器に流れる。これにより、氷が製氷室から脱離して、当該脱離した氷は落下して下方に設けられた貯氷部内に貯められる。
【０００７】
そして、離氷が完了すると、水皿が上方向に復動され、前記水平閉鎖位置に到達したところで停止され、その状態で再び製氷行程に移行し、再び上述した製氷行程を繰り返す（例えば、特許文献１参照）。
【特許文献１】特公昭６１−５０２３１号公報
【発明の開示】
【発明が解決しようとする課題】
【０００８】
上述したように、従来の逆セル型製氷機では、製氷終了後に水タンク内に残った製氷残水と、その後の水皿の洗浄水の全てが排水されており、当該製氷機における排水量は、供給される水の半分以上であった。このため、排水量を削減して節水を行うことが切望されていた。しかしながら、前記製氷残水には水道水に含まれるカルキやミネラル分等の不純物が濃縮されて残り、同様に、水皿の洗浄水には氷を脱離する氷かす以外に上記不純物も残りやすいため、排水せずに再利用し続けると、当該水の中に含まれる不純物濃度が上昇し、飽和濃度を超えて、スケールが析出する不都合が生じていた。このようにスケールが析出すると、例えば、当該スケールが製氷室と水皿の間に堆積し、水皿が製氷室を閉塞できず、水皿と製氷室の間が若干離れた状態で製氷が行われることとなる。即ち、噴水孔から各製氷室内に噴出される水が水皿と製氷室の間の隙間にも流れて、当該隙間にも氷が生成されるため、氷と水皿との密着力が強固となり、離氷行程における水皿傾動時に水皿が当該氷から離れ難くなり、水皿やこれを動かす駆動装置等に過大な負荷がかかる。
【０００９】
更に、スケールにより、水皿の噴水孔が閉塞されて、製氷室内への水の噴出が妨害されたり、循環ポンプの運転に支障を来すなど、様々な問題が生じていた。
【００１０】
本発明は、係る従来の技術的課題を解決するために成されたものであり、逆セル型製氷機において、従来排出されていた水タンク内に残った製氷残水や水皿洗浄水を有効に利用して、消費水量を削減することを目的とする。
【課題を解決するための手段】
【００１１】
請求項１の発明の逆セル型製氷機は、下向きに開口した多数の製氷室を有する冷却器と、水平閉塞位置において冷却器を下方から閉塞するよう傾復動可能に配設され、各製氷室に対向する位置に噴水孔を備えた水皿と、この水皿と一体的に設けられ、当該水皿上面からの水を受けて貯留する水タンクと、この水タンク内の水を吸い上げて噴水孔から噴出させる循環ポンプと、水皿の上面に散水する散水器とを備えたものであって、水タンクは、水皿が冷却器の製氷室を開放する傾斜開放位置において、内部に水が残留する構造を呈すると共に、この水タンク内の水を排出するための排水弁を備えたことを特徴とする。
【００１２】
請求項２の発明の逆セル型製氷機は、上記発明において製氷行程を所定回数実行した場合、排水弁を開放することを特徴とする。
【００１３】
請求項３の発明の逆セル型製氷機は、請求項１に記載の発明において水タンク内に水質センサを設け、この水質センサが検出する水タンク内の水の不純物濃度が所定の上限値に達した場合、排水弁を開放することを特徴とする
【００１４】
請求項４の発明の逆セル型製氷機は、下向きに開口した多数の製氷室を有する冷却器と、水平閉塞位置において冷却器を下方から閉塞するよう傾復動可能に配設され、各製氷室に対向する位置に噴水孔を備えた水皿と、この水皿と一体的に設けられ、当該水皿上面からの水を受けて貯留する水タンクと、この水タンク内の水を吸い上げて噴水孔から噴出させる循環ポンプと、水皿の上面に散水する散水器とを備えたものであって、水皿が冷却器の製氷室を開放する傾斜開放位置において、水タンクから排出される水を受ける排水受け部を備え、この排水受け部にて受けた水を散水器に供給するよう構成したことを特徴とする。
【発明の効果】
【００１５】
請求項１の発明によれば、下向きに開口した多数の製氷室を有する冷却器と、水平閉塞位置において冷却器を下方から閉塞するよう傾復動可能に配設され、各製氷室に対向する位置に噴水孔を備えた水皿と、この水皿と一体的に設けられ、当該水皿上面からの水を受けて貯留する水タンクと、この水タンク内の水を吸い上げて噴水孔から噴出させる循環ポンプと、水皿の上面に散水する散水器とを備えた逆セル型製氷機において、水タンクは、水皿が冷却器の製氷室を開放する傾斜開放位置において、内部に水が残留する構造を呈すると共に、この水タンク内の水を排出するための排水弁を備えたので、水タンク内に水を残留させて、次回の製氷時に再利用することができる。これにより、消費水量を低減することが可能となり、ランニングコストの削減を図ることができるようになる。
【００１６】
特に、請求項２の発明の如く製氷行程を所定回数実行した場合、排水弁を開放するものとすれば、水タンク内に残留する水の中に含まれるカルキやミネラル分などの不純物濃度が飽和濃度に達する以前に残留水を排出することができるので、スケールが析出する不都合も解消できる。
【００１７】
また、請求項３の発明の如く水タンク内に水質センサを設け、この水質センサが検出する水タンク内の水の不純物濃度が所定の上限値に達した場合、排水弁を開放するものとすれば、水タンク内の不純物濃度を正確に把握でき、当該水の汚れ具合に応じて的確な排水を行うことができるようになる。これにより、消費水量を極力抑えることが可能となる。
【００１８】
請求項４の発明によれば、下向きに開口した多数の製氷室を有する冷却器と、水平閉塞位置において冷却器を下方から閉塞するよう傾復動可能に配設され、各製氷室に対向する位置に噴水孔を備えた水皿と、この水皿と一体的に設けられ、当該水皿上面からの水を受けて貯留する水タンクと、この水タンク内の水を吸い上げて噴水孔から噴出させる循環ポンプと、水皿の上面に散水する散水器とを備えた逆セル型製氷機において、水皿が冷却器の製氷室を開放する傾斜開放位置において、水タンクから排出される水を受ける排水受け部を備え、この排水受け部にて受けた水を散水器に供給するよう構成したので、排水受け部にて水タンクから排出される水の一部を貯留して、再利用することができる。これにより、消費水量を低減することが可能となり、ランニングコストの削減を図ることができるようになる。
【発明を実施するための最良の形態】
【００１９】
本発明は、所謂逆セル型の製氷機における節水を目的とするものであり、この目的を水タンクを、水皿が冷却器の製氷室を開放する傾斜開放位置において、内部に水が残留する構造とすると共に、この水タンク内の水を排出するための排水弁を設けることにより実現した。以下、本発明の実施形態を図面に基づき詳述する。
【実施例１】
【００２０】
図１は本発明の一実施形態を示す逆セル型製氷機の一部切欠側面図、図２及び図３は本実施例の逆セル型製氷機の断面図をそれぞれ示している。各図に示す本実施例の製氷機は、下向きに開口した複数の製氷室２を有する冷却器１と、各製氷室２を下方から閉塞する水皿４とを有する製氷部を備え、水皿４が製氷室２を下方から閉塞する所定の水平閉塞位置で、当該水皿４から各製氷室２に噴水して製氷行程を行い、水皿４が製氷室２を開放する所定の傾斜開放位置で冷却器１を加熱する離氷行程を行う所謂逆セル型と称される製氷機である。
【００２１】
上記製氷部は、各製氷室２とその上壁外面に冷却装置の蒸発パイプ３を備えた上記冷却器１と、所定の水平閉塞位置において各製氷室２を下方から余裕を持って閉塞し、各製氷室２に対向する位置に噴水孔６及び戻り孔７が形成された水皿４と、該水皿４と一体的に設けられ、戻り孔７に連通する水タンク８と、水タンク８内の水を吸い上げて、導水管１１、分配管５を経て噴水孔６から噴出し、各製氷室２に循環せしめる循環ポンプ１０と、水皿４を傾動及び復動せしめる正逆転可能な高速ギヤ比の減速モータ１６を備えた駆動装置１５と、給水電磁弁１２の開放時に水皿４の上面に散水する散水器１３等にて構成される。
【００２２】
減速モータ１６は、支持梁２２に固定された図示しない取付板に支持されており、当該減速モータ１６の出力軸には、相互に出力軸の半径方向の逆方向に延出した第１のアーム１７及び第２のアーム１８を有する駆動カムが取り付けられている。この駆動カムの第１のアーム１７の端部にはコイルバネ１９の一端が取り付けられ、当該コイルバネ１９の他端は水皿４の他端の側面に連結されている。これにより、水皿４の他端はコイルバネ１９を介して第１のアーム１７の端部に連結されている。また、水皿４の一端は回動軸１４を介して支持梁２２に回動自在に枢支されている。
【００２３】
前記水皿４は、水平閉塞位置において各製氷室を下方から閉塞するよう傾復動可能に配設されている。具体的には、当該水皿４の傾復動は、前記減速モータ１６と、その出力軸に取り付けられた前記第１のアーム１７と、第１のアーム１７の端部と水皿４の他端部との間に連結された前記コイルバネ１９とから成る駆動装置１５によって行われる。
【００２４】
そして、当該水皿４の位置は、支持梁２２に固定された接触式の水皿位置検出スイッチ２０により検出される。水皿位置検出スイッチ２０は、図示しない切換レバーの接点の開閉状態により水皿４の水平閉塞位置と傾斜開放位置を検出するための接触式の水皿位置検出スイッチである。この水皿位置検出スイッチ２０は支持梁２２に設けられ、且つ、当該水皿位置検出スイッチ２０の前記切換レバーは、駆動カムの第１及び第２のアーム１７及び１８が当接する位置に配されている。そして、減速モータ１６の正転により駆動カムが図１において反時計回りに回転すると、水皿４が傾動し、前記傾斜開放位置となったところで第２のアーム１８が切換レバーに当接し、それによって水皿位置検出スイッチ２０の接点が閉じて復動側に切換反転される。即ち、第２のアーム１８が水皿位置検出スイッチ２０の切換レバーの前方側から当接し、後方側に押されると、切換レバーが切り換わって接点が閉じ、復動側に切換反転される。
【００２５】
また、減速モータ１０の逆転により駆動カムが図１において時計回りに回転すると、水皿４が水平閉塞位置となったところで第１のアーム１７が切換レバーに当接し、それによって水皿位置検出スイッチ２０の接点が開いて傾動側に切換反転される。即ち、第１のアーム１７が水皿位置検出スイッチ２０の切換レバーの後方側（図１の左側）から当接し、前方側（図１の右側）に押されると、切換レバーが切り換わって接点が開いて、傾動側に切換反転される。
【００２６】
ここで、本発明の逆セル型製氷機の水タンク８について図２の断面図を用いて更に詳述する。水タンク８は、水皿４が冷却器１の製氷室２を開放する傾斜開放位置において、内部に水が残留する構造を呈している。具体的に、本実施例の水タンク８は、傾斜開放位置にて水平となる底面８Ａと、回転軸１４にて枢支される側とは反対側となる底面８Ａの先端部が当該底面８Ａから鉛直方向に所定の高さ寸法起立する起立部８Ｂとを備え、この起立部８Ｂの上縁に排水口２３が形成されている。これにより、水皿４が冷却器１の製氷室２を開放する傾斜開放位置において、水タンク８内の底部の水が当該起立部８Ｂにより堰き止められ、排水口２３から流出せずに、内部に残留するよう構成されている。
【００２７】
また、排水口２３の外周、即ち、水タンク８とは反対側となる前面側は当該排水口２３から排出された水タンク８内の水を下側後方に誘導するための排水案内板９にて覆われている。当該排水案内板９により、水タンク８から排出される水は、排水口２３から下側前方に設けられた図示しない貯氷部に流れることなく、全て当該水タンク８の直下に位置するドレンパン２６内に流れる。
【００２８】
更に、前記水タンク８の底面８Ａには、当該水タンク８内の水を排出するための配水管２４が排出弁２５を介して接続されている。また、ドレンパン２６内底部には排水管３６が接続され、当該ドレンパン２６内に流下した水は、全て当該排水管３６から外部に排出される。尚、当該製氷機には汎用のマイクロコンピュータ等により構成された制御手段が内蔵されており（図示せず）、当該制御手段により水皿４の開閉動作や冷却装置の運転、各弁装置の開閉などの制御が行われている。
【００２９】
以上の構成で次に本実施例の逆セル型製氷機の動作を説明する。始めに、各製氷室２にて氷を生成する製氷行程について説明する。先ず、前記制御手段により電源が投入（ＯＮ）されると、水皿４が水平閉塞位置に初期設定される。そして、給水電磁弁１２が開放され、散水器１３から水タンク８内に水が供給される。当該水タンク８内への給水は図示しない水位センサにて水タンク８内が満水となったことが検知されるまで継続される。
【００３０】
そして、水タンク８内の水が満水になると、前記給水電磁弁１２が閉塞される、これにより、水タンク８への給水が停止する。また、給水電磁弁１２の開放と同時に循環ポンプ１０及び冷却装置の運転が開始される。当該循環ポンプ１０の運転開始により、水タンク８内の水が導水管１１、分配管５を経て噴水孔６から各製氷室２内に循環される。また、上記冷却装置の起動により、蒸発パイプ内に冷媒が流入し、冷却器１から吸熱する。これにより、冷却器１の各製氷室２に供給される水が冷却されて、徐々に氷が生成されて行く。
【００３１】
一方、噴水孔６から噴出した水のうち、氷に成らず余った水は、戻り孔７から水タンク８内に回収される。
【００３２】
そして、各製氷室２内の氷の生成は、例えば、水タンク８の水温を検出することで判断できる。具体的には、水タンク内に制御手段の入力側に接続された水温センサ等を設け、当該センサにて検出される水タンク８内の水温が所定温度（例えば、＋３℃）以下に低下し、所定時間、当該温度以下が継続された場合、制御手段により、各製氷室２内に氷が生成されたものと判断される。
【００３３】
このように、各製氷室２内に氷が生成されたと判断されると、次に、離氷行程に移行する。離氷行程に入ると、先ず、減速モータ１６が正転される。これにより、第１のアーム１７が反時計方向に回転して、水皿が下方向へ徐々に傾動する。そして、水皿４が傾斜開放位置に到達すると、第１のアーム１７と逆方向に延びた第２のアーム１８が水皿位置検出スイッチ２０に当接し、切換レバーの接点が切り換わり、接点が閉じられて復動側に反転されると共に、減速モータ１６の回転が停止される。これにより、水皿４が停止する。
【００３４】
また、水皿４が傾斜開放位置に達する１５秒前になると、前記給水電磁弁１２が開放される。これにより、散水器１３から水皿４の上面に散水されて、水皿４の上面に付着した氷を洗い流す。そして、水皿４を洗い流した当該洗浄水は水タンク８内に落下する。尚、水タンク８内の一部の水は、水皿４の開放により排水口２３から排出される。即ち、排水口２３から排水案内板９を通って、ドレンパン２６上に流れる。
【００３５】
本発明の水タンク８は、前述の如く水皿４が冷却器１の製氷室２を開放する傾斜開放位置において、内部に水が残留する構造を呈しているため、水皿４が当該傾斜開放位置に到達しても、水タンク８内の水は排水口２３から全て出て行かずに、少なくとも水タンク８内に一部の水が残留する。具体的には、本実施例の水タンク８は、底面８Ａの先端部に形成された起立部８Ｂにより水タンク８内の少なくとも一部の水が堰き止められて、排水口２３から流出せずに、内部に残留することとなる（図２）。
【００３６】
一方、前述した離氷行程に移行すると、図示しないホットガス電磁弁が開かれて、冷却装置の図示しない圧縮機からホットガス（高温高圧の冷媒ガス）が直接蒸発パイプ３に流入する。これにより、氷の表面が加熱されて製氷室２から水皿４上に落下し、更に当該水皿４の前方から貯氷部に落下して当該貯氷部内に貯えられる。
【００３７】
このとき、離氷が完了したか否かの判定は、冷却器１の側面に設けられた冷却器温度センサ２１の検知温度が予め設定された離氷完了温度を超えたか否かにより行われる。そして、離氷が完了すると、前記ホットガス電磁弁が閉じられると共に、減速モータ１６が逆転される。これにより、第１のアーム１７が時計方向に回転し、水皿４が上方向へ徐々に復動する。そして、水皿４が水平閉塞位置に到達すると、第１のアーム１７が水皿位置検出スイッチ２０に当接して、切換レバーが切り換わって接点が開かれ、傾動側に切換反転されると共に、減速モータ１６の回転が停止される。これにより、水皿４が停止する。
【００３８】
その状態で、再び製氷行程に移行する。即ち、給水電磁弁１２が開放され、散水器１３から水タンク８内に水が供給される。このとき、水タンク８内には上述したように排出されずに残留した前回製氷行程及び離氷行程に使用された水が残留しているため、当該残留した水の分、水タンク８内への給水量を減らすことができる。
【００３９】
ところで従来の製氷機は、図７に示すように、傾斜開放位置において水タンク１０８内の水が全て排出されるように構成されていた。即ち、水タンク１０８は、傾斜開放位置において、底面１０８Ａの水平方向の延長上に排水口１２３が形成されていたため、水皿４が傾斜開放位置に移動した場合には、必ず水タンク１０８内の全ての水が当該水タンク１０８から排出されていた。このように従来の製氷機では、水皿４が傾斜開放位置に移動する毎に水タンク１０８内の全ての水が排出されていたため、排出される水の量が供給される水の半分以上にまで及び、消費水量が増大していた。これにより、ランニングコストが著しく高騰する問題が生じていた。そこで、従来より係る製氷機における消費水量の削減が切望されていた。
【００４０】
そこで、図８に示すように底面１０８Ａの水平方向の延長上の先端部に起立部１０８Ｂを設けて、水皿４が冷却器１の製氷室２を開放する傾斜開放位置において、内部に水が残留する構造とすることで、排水量を削減することができるが、水タンク１０８内に残った水は、前述した製氷残水や水皿４の洗浄水であり、当該製氷残水には水道水に含まれるカルキやミネラル分等の不純物が濃縮されて残り、また、水皿４の洗浄水には氷を脱離する氷かす以外に上記不純物も残りやすいため、そのまま排水せずに再利用し続けると、当該水中に含まれる不純物濃度が飽和濃度を超え、スケールが析出する不都合が生じる。この場合、図８の構成を適用して、必ず水タンク１０８内に水が残る構造とした場合（即ち、毎回一部排水しない場合）であっても、図４に示すように、数回の製氷動作で水タンク１０８内の不純物濃度が飽和濃度に達して、スケールが析出する不都合が生じていた。このようにスケールが析出すると、例えば、当該スケールが製氷室２と水皿４の間に堆積し、水皿４が製氷室２を閉塞できず、水皿４と製氷室２の間が若干離れた状態で製氷が行われることとなる。即ち、噴水孔６から各製氷室２内に噴出される水が水皿４と製氷室２の間の隙間にも流れて、当該隙間にも氷が生成されるため、氷と水皿との密着力が強固となり、離氷行程における水皿４の傾動時に水皿４が当該氷から離れ難くなり、水皿４やこれを動かす駆動装置１５等に過大な負荷がかかる。
【００４１】
更に、スケールにより、水皿４の噴水孔６が閉塞されて、製氷室２内への水の噴出が妨害されたり、循環ポンプ１０の運転に支障を来すなど、様々な問題が生じていた。
【００４２】
そこで、本発明では、水タンク８の底面８Ａに排水弁２５を介して排水管２４を接続し、所定回数製氷動作を繰り返したら、排水弁２５を開放して、水タンク８内の水を全て配水管２４から排出するものとする。具体的には、予め水タンク８内に水を残留させた場合における製氷回数と不純物濃度を測定し、不純物濃度が飽和濃度に達する以前の所定回数製氷行程を実行した場合に、排水弁２５を開放して、水タンク８内の残留水を全て排出するものとする（図３）。
【００４３】
このように水タンク８を水皿４が冷却器１の製氷室２を開放する傾斜開放位置において、内部に水が残留する構造とし、製氷行程を所定回数実行するまでは、当該残留した水を再利用して製氷を行い、製氷行程が上述の如く予め所定回数に達した場合に（即ち、数サイクル毎に）、排水弁２５を開放して水タンク８内の水を全て排出することで、図４に示すように水タンク８内の水を不純物の飽和濃度以下に確実に保つことができる。これにより、水からスケールが析出する不都合を効果的に解消しながら、消費水量を著しく低減することが可能となる。従って、製氷機のランニングコストも効果的に削減することができる。
【実施例２】
【００４４】
尚、上記実施例では予め設定した所定の回数、製氷行程を実行したら排水弁２５を開放して水タンク８内の水を全て排出するものとしたが、例えば、図５に示すように水タンク８内に水質センサ２７を設け、水質センサ２７が検出する水タンク８内の不純物濃度が所定の上限値に達した場合、排水弁２５を開放するものとしても構わない。尚、図５において上述する水質センサ２７を設けて、当該水質センサ２７が検出する水タンク８内の不純物濃度に基づいて排水弁２５を開放する点以外は、前記実施例１と同様、或いは、類似するため構造及び動作の詳細な説明は省略する。
【００４５】
また、本実施例においても、前記実施例１と同様に水からスケールが析出する不都合を効果的に解消しながら、消費水量を著しく低減することが可能となる。これにより、製氷機のランニングコストも効果的に削減することができる。更に、本実施例では、水質センサ２７により水タンク８内の不純物濃度を正確に把握でき、当該水の汚れ具合に応じて排水弁２５を的確に開放して排水を行うことができるようになる。これにより、消費水量を極力抑えることが可能となり、より効率的な製氷運転を実現することができる。
【実施例３】
【００４６】
次に、本発明の逆セル型製氷機のもう一つの他の実施形態を説明する。図６はこの実施例の逆セル型製氷機の断面図を示している。図６に示す本実施例の逆セル型製氷機は、多くの点において前述の実施例１と共通するので、実施例１の逆セル型製氷機と、同一、若しくは、同様の作用、又は、効果を奏する構成については詳細な説明を省略する。
【００４７】
図６において、３０は、水タンク８からの排水を受けるための排水受け部である。当該排水受け部３０は、水皿４が冷却器１の製氷室２を開放する傾斜開放位置において、水タンク８から排出される水の一部を受け、内部に貯留するためのものである。本実施例では水タンク８の直下に設置されたドレンパン２６が仕切板３１により水皿４の一端が回転軸１４を介して支持梁２２に枢支される側（図６の左端）の空間２６Ａと、その反対側（図６の右端）の空間２６Ｂとに区画されており、空間２６Ｂを排水受け部３０としている。
【００４８】
また、本実施例の水タンク８は、上記実施例１のように内部に水が残留するような構造ではない。即ち、本実施例の水タンク８は、傾斜開放位置において、底面８Ａの水平方向の延長上に排水口２３が形成された、図７に示す従来の水タンク１０８と同様の構造を呈している。
【００４９】
そして、排水口２３からの水をドレンパン２６の空間２６Ａに誘導する排水案内板９の排水受け部３０の直上に対応する位置には、当該排水案内板９を軸心方向に貫通する孔３５が形成され、この孔３５から水タンク８より排出され、ドレンパン２６の空間２６Ａに向かう排水の一部が流下して、当該排水受け部３０内に流れる。
【００５０】
また、本実施例の製氷機では、離氷行程において、水皿４の上面に散水される散水器１３からの水及び当該散水により流れる水皿４に付着した氷の殆どが水タンク８内に流れることなく、水皿４の先端部から当該排水受け部３０内に流れ落ちるように構成されている。即ち、前記実施例１及び実施例２の排水案内板９は、水皿４の先端部の前面に空間が形成され、水皿４の上面を流れて、先端部に到達した水が当該空間から水タンク８内に流下するように水皿４の先端部が取り付けれていたが、本実施例では、排水案内板９の前記水皿４の先端部前面が完全に水皿４の先端部に密着するように取り付けられているため、離氷行程において、水皿４の上面へ供給された水（散水）は、水皿４に設けられた戻り孔７から一部水タンク６内に流れ落ちるものの、殆どの洗浄水が水皿４の先端部に至り、排水案内板９の前面（水タンク６とは反対側の面）に沿って流下し、下部に位置する排水受け部３０に流れ落ちる。このため、排水受け部３０内には一度の製氷行程及び離氷行程で多くの水が流れることとなる。
【００５１】
前記仕切板３１は、ドレンパン２６外周壁より高さ寸法が低く、当該排水受け部３０内の空間２６Ｂが満水となった際には、排水受け部３０内の水が当該仕切板３１を越えてドレンパン２６の空間２６Ａ側に流入可能に構成されている。従って、上述の如く当該排水受け部３０内に多くの水が流れ落ちて満水となっても、溢れた水は、仕切板３１を越えてドレンパン２６の空間２６Ａ側に流入するので、当該ドレンパン２６の空間２６Ａに設けられた排水管３６から排出することができる。
【００５２】
一方、排水受け部３０の底面には導水管３２の一端が接続され、当該導水管３２はこの排水受け部３０の底面に接続された一端から上方に延在し、製氷室２の上部を通過して、他端は散水器１３と接続される。また、散水器１３に接続される他端近傍には、水タンク８内に給水するための給水管３３が給水電磁弁１２を介して接続される。
【００５３】
また、上記導水管３２の途中部には排水受け部３０内に貯留した水を吸い上げて前記散水器１３に押し流すためのポンプ３８が介設されている。これにより、本実施例の逆セル型製氷機は、ポンプ３８を運転することで、排水受け部３０にて受けた水を吸い上げて、散水器１３に供給することができる。
【００５４】
以上の構造で、次に本実施例の逆セル型製氷機の動作を説明する。尚、本実施例の逆セル型製氷機の動作は、多くの点において前述の実施例１の動作と共通するので、ここでは前記実施例１と異なる点を中心に説明する。前記実施例１と同様に電源が投入（ＯＮ）されると、水皿４が水平閉塞位置に初期設定される。そして、給水電磁弁１２が開放され、給水管３３、導水管３２を経て散水器１３から水タンク８内に水が供給され、満水になると、給水電磁弁１２が閉塞される。これにより、水タンク８への給水が停止する。また、給水電磁弁１２の開放と同時に循環ポンプ１０及び冷却装置の運転が開始される。当該循環ポンプ１０の運転開始により、水タンク８内の水が導水管１１、分配管５を経て噴水孔６から各製氷室２内に循環される。また、上記冷却装置の起動により、蒸発パイプ内に冷媒が流入し、冷却器１から吸熱する。これにより、冷却器１の各製氷室２に供給される水が冷却されて、徐々に氷が生成されて行く。噴水孔６から噴出した水のうち、氷に成らず余った水は、戻り孔７から水タンク８内に回収される。
【００５５】
そして、各製氷室２内に氷が生成されると、次に、離氷行程に移行し、減速モータ１６が正転される。これにより、第１のアーム１７が反時計方向に回転して、水皿が下方向へ徐々に傾動する。そして、水皿４が傾斜開放位置に到達すると、第１のアーム１７と逆方向に延びた第２のアーム１８が水皿位置検出スイッチ２０に当接し、切換レバーが接点が切り換わり、接点が閉じられて復動側に反転されると共に、減速モータ１６の回転が停止される。これにより、水皿４が停止する。
【００５６】
また、水皿４が傾斜開放位置に達する１５秒前になると、前記ポンプ３８の運転が開始される。これにより、排水受け部３０内の水が一端から導水管３２内に吸い込まれ、ポンプ３８を介して、導水管３２の他端に接続された散水器１３に至り、散水器１３から水皿４の上面に散水される。これにより、水皿４の上面に付着している氷が当該水により洗浄される。そして、水皿４を洗い流した当該洗浄水の多くは水皿４の先端部から排水受け部３０内に流れる。また、水タンク８内に貯まった全ての水は、排水口２３排水案内板９を通って、ドレンパン２６の空間２６Ａ、或いは、孔３５から排水受け部３０内に流れる。
【００５７】
このとき、排水受け部３０内には多量の水が流れることとなるため、当該排水受け部３０が満水となる。排水受け部３０から溢れた水は、仕切板３１を越えて、ドレンパン２６の空間２６Ａに流れる。このように、排水受け部３０内には多量の水が流れ、溢れた水は空間２６Ａに流れて排出される。このため、当該排水受け部３０内には、給水電磁弁１３を開放した際に流入した水道水に近い、即ち、不純物濃度が低い水が残留する。従って、当該水からのスケールの析出は生じ難い。
【００５８】
他方、前述した離氷行程に移行すると、図示しないホットガス電磁弁が開かれて、冷却装置の圧縮機からホットガス（高温高圧の冷媒ガス）が直接蒸発パイプ３に流入する。これにより、氷の表面が加熱されて製氷室２から水皿４上に落下し、更に当該水皿４の前下方に位置する貯氷部に落下して当該貯氷部内に貯えられる。
【００５９】
そして、離氷が完了すると、前記ホットガス電磁弁が閉じられると共に、減速モータ１６が逆転される。これにより、第１のアーム１７が時計方向に回転し、水皿４が上方向へ徐々に復動される。そして、水皿４が水平閉塞位置に到達すると、第１のアーム１７が水皿位置検出スイッチ２０に当接して、切換レバーが切り換わって接点が開かれ、傾動側に切換反転されると共に、減速モータ１６の回転が停止される。これにより、水皿４が停止する。
【００６０】
その状態で、再び製氷行程に移行する。即ち、給水電磁弁１２が開放され、給水管３３、導水管３２を経て散水器１３から水タンク８内に水が供給される上述した動作を繰り返す。
【００６１】
このように、本実施例では排水受け部３０にて水タンク８から排出される水の一部を貯留して、離氷行程の散水の際に再利用することができる。これにより、離氷行程の水皿４への散水時の水を節水することができるようになる。特に、排水受け部３０に貯留された水は、製氷後に水皿４の氷を落とすための洗浄水が殆どであるため、製氷残水よりカルキやミネラル分等の不純物濃度が低く、更に、当該排水受け部３０内には多くの水が流れ、溢れた水はドレンパン２６の空間２６Ａに流れて排出されるので、当該水からスケールが析出する不都合も解消できる。これにより、水からスケールが析出する不都合を効果的に解消しながら、消費水量を著しく低減することが可能となる。
【図面の簡単な説明】
【００６２】
【図１】本発明の一実施例の逆セル型製氷機の一部切欠側面図である。
【図２】本実施例の逆セル型製氷機の水タンク内に水が残留した状態を示す断面図である。
【図３】図２の逆セル型製氷機の水タンク内の水が排出された状態を示す断面図である。
【図４】水タンク内の不純物濃度と製氷回数を示す図である。
【図５】本発明の他の実施例の逆セル型製氷機の断面図である。
【図６】本発明のもう一つの他の実施例の逆セル型製氷機の断面図である。
【図７】従来の逆セル型製氷機の断面図である。
【図８】従来のもう一つの逆セル型製氷機の断面図である。
【符号の説明】
【００６３】
１    冷却器
２    製氷室
３    蒸発パイプ
４    水皿
５    分配管
６    噴水孔
７    戻り孔
８    水タンク
８Ａ  底面
８Ｂ  起立部
９    排水案内板
１０  循環ポンプ
１１  導水管
１２  給水電磁弁
１３  散水器
１４  回転軸
１５  駆動装置
１６  減速モータ
１７  第１のアーム
１８  第２のアーム
１９  コイルバネ
２０  水皿位置検出スイッチ
２１  冷却器温度センサ
２２  支持梁
２３  排水口
２４  排水管
２５  排水弁
２６  ドレンパン
２６Ａ、２６Ｂ  空間
２７  水質センサ
３０  排水受け部
３１  仕切板
３２  導水管
３３  給水管
３５  孔
３８  ポンプ
【図１】
0004740000.tif 000002
【図２】
0004740000.tif 000003
【図３】
0004740000.tif 000004
【図４】
0004740000.tif 000005
【図５】
0004740000.tif 000006
【図６】
0004740000.tif 000007
【図７】
0004740000.tif 000008
【図８】
0004740000.tif 000009